【手続補正書】
【提出日】平成20年2月4日(2008.2.4)
【手続補正１】
【補正対象書類名】明細書
【補正対象項目名】全文
【補正方法】変更
【補正の内容】
【書類名】      明細書
【発明の名称】  釣り情報伝送システム及び電動リール
【特許請求の範囲】
【請求項１】
１又は複数の釣り情報を収集可能な釣り船から前記釣り船で釣り用リールを用いて釣りを行う釣り人に前記釣り情報を伝送するための釣り情報伝送システムであって、
前記釣り用リールに電力を供給するための電源と前記釣り用リールとを電気的に接続して前記釣り用リールに前記電源の電力を供給する電源ケーブルと、
前記電源ケーブルの前記電源側に接続され、前記釣り情報を前記電源ケーブルから前記釣り用リールに供給される電力に重畳するための情報重畳手段と、
前記電源ケーブルの前記釣り用リール側又は前記釣り用リールに設けられ、前記電力に重畳された前記釣り情報を取り出す情報取出手段と、
前記釣り用リール又は前記釣り用リールの近傍に設けられ各種の情報を表示可能な表示手段と、
前記情報取出手段で取り出された釣り情報を前記表示手段に表示させる情報表示手段と、
を備えた釣り情報伝送システム。
【請求項２】
前記情報表示手段は、前記複数の釣り情報のいずれかを選択する選択手段を有する、請求項１に記載の釣り情報伝送システム。
【請求項３】
前記複数の釣り情報は、前記釣り船に搭載された魚群探知機から得られる魚の棚位置、魚種、サイズ、群の状況、及び群の移動方向を示す第１釣り情報と、前記釣り船に搭載された全地球測位システムから得られる現在位置及び釣り場所を示す第２釣り情報であり、
前記選択手段は、前記第１釣り情報と第２釣り情報とのいずれかを選択可能である、請求項２に記載の釣り情報伝送システム。
【請求項４】
１又は複数の釣り情報を収集可能な情報収集手段を有する釣り船で使用され、電源から電源ケーブルを介して供給され前記釣り情報が重畳された電力で動作する電動リールであって、
リール本体と、
前記リール本体に回転自在に装着された糸巻用のスプールと、
前記電源ケーブルから供給された電力で動作し、前記スプールを回転駆動するモータと、
前記リール本体に装着され、各種の情報を表示可能な表示手段と、
前記情報収集手段で収集され前記電力に重畳された前記釣り情報を取り出す情報取出手段と、
前記情報取出手段で獲得された前記１又は複数の釣り情報を前記表示手段に表示させる情報表示手段と、
を備えた電動リール。
【請求項５】
前記情報取出手段は、前記リール本体から延出されたケーブルの先端に装着されており、前記電源ケーブルを接続可能なコネクタ部を有している、請求項４に記載の電動リール。
【請求項６】
前記情報取出手段は、釣り竿に係止可能な釣り竿係止部を有している、請求項５に記載の電動リール。
【発明の詳細な説明】
【０００１】
【発明の属する技術分野】
本発明は、１又は複数の釣り情報を収集可能な釣り船から釣り船で釣り用リールを用いて釣りを行う釣り人に釣り情報を伝送するための釣り情報伝送システム及びその釣り船で使用され電源から電源ケーブルを介して供給された電力で動作する電動リールに関する。
【０００２】
【従来の技術】
釣り船には、魚群探知機や全地球測位システム（ＧＰＳ）等の釣りに関する情報を収集可能な情報収集装置が搭載されている。船頭は、これらの情報収集装置で収集した釣り情報を釣り人に口頭で提供している。また、船釣りに使用される電動リールには、カウンターと呼ばれる水深表示用の表示装置が装着されているものがある。カウンターは、たとえば、液晶表示装置を用いており、仕掛けの水深をリールに設けられた検出手段からの情報に基づいて表示可能である。また、船頭から棚位置が提供されるとそれをリールに設定し、カウンターに棚位置が表示される。さらにリールによっては、仕掛けが棚位置に配置されると釣り糸の繰り出しが自動的に停止するようになっているものもある。
【０００３】
【発明が解決しようとする課題】
棚位置などの釣り情報は、魚の群の移動により変化することがある。この変化を迅速に知ることが釣果を向上させるうえで重要である。しかし、前記従来の表示装置を有する電動リールでは、表示される情報が電動リールに設けられた各種の検出手段に基づく情報に限定される。このため、検出手段に基づく情報以外の船頭から知らされるような釣り情報をリアルタイムに得るのは困難である。
【０００４】
そこで、釣り船の情報収集装置とリールとを配線で接続して収集された釣り情報を釣り人が釣り用リールで確認できるようにすることが考えられる。しかし、情報収集装置と釣り用リールとを配線により接続すると、電動リールの場合、電源ケーブルがすでに甲板上に架設されているため、配線が甲板上に錯綜することになる。配線が甲板上に錯綜すると、配線を踏んだり引っ掛けたりして電気的な接続が不安定なものになる。
【０００５】
本発明の課題は、釣り船で収集された釣り情報を配線の錯綜を招くことなく釣り人に伝送できるようにすることにある。
【０００６】
本発明の別の課題は、表示手段を有する電動リールにおいて、釣り船に搭載された情報収集手段からの釣り情報を迅速に得られるようにすることにある。
【０００７】
【課題を解決するための手段】
発明１に係る釣り情報伝送システムは、１又は複数の釣り情報を収集可能な釣り船から釣り船で釣り用リールを用いて釣りを行う釣り人に釣り情報を伝送するためのシステムであって、電源ケーブルと、情報重畳手段と、情報取出手段と、表示手段と、情報表示手段とを備えている。電源ケーブルは、釣り用リールに電力を供給するための電源と釣り用リールとを電気的に接続して釣り用リールに電源の電力を供給するものである。情報重畳手段は、電源ケーブルの電源側に接続され、釣り情報を電源ケーブルから釣り用リールに供給される電力に重畳するための手段である。情報取出手段は、電源ケーブルの釣り用リール側又は釣り用リールに設けられ、電力に重畳された釣り情報を取り出す手段である。表示手段は、釣り用リール又は釣り用リールの近傍に設けられ各種の情報を表示可能な手段である。情報表示手段は、情報取出手段で取り出された釣り情報を表示手段に表示させる手段である。
【０００８】
この釣り情報伝送システムでは、電源ケーブルが情報重畳手段に接続され、釣り船で収集された釣り情報は、情報重畳手段により電源ケーブルの電力に重畳される。この釣り情報が電源ケーブルを介して情報取出手段に送られ、そこで釣り情報が取り出される。取り出された釣り情報は情報表示手段により表示手段に表示される。ここでは、電源ケーブルから供給される電力に釣り情報を重畳して釣り用リールに伝送しているので、電源ケーブル以外に余分な配線が不要になる。このため、釣り船で収集された釣り情報を配線の錯綜を招くことなく釣り人に伝送できるようになる。
【０００９】
発明２に係る釣り情報伝送システムは、発明１に記載のシステムにおいて、情報表示手段は、複数の釣り情報のいずれかを選択する選択手段を有する。この場合には、複数の釣り情報のいずれかを選択できるので、釣り情報を的確に知ることができる。
【００１０】
発明３に係る釣り情報伝送システムは、発明１又は２に記載のシステムにおいて、複数の釣り情報は、釣り船に搭載された魚群探知機から得られる魚の棚位置、魚種、サイズ、群の状況、及び群の移動方向を示す第１釣り情報と、釣り船に搭載された全地球測位システムから得られる現在位置及び釣り場所を示す第２釣り情報であり、選択手段は、第１釣り情報と第２釣り情報とのいずれかを選択可能である。この場合には、魚群探知機で収集された魚に関する第１釣り情報と、ＧＰＳから得られた位置に関する第２釣り情報とを選択して表示することができる。
【００１１】
発明４に係る電動リールは、１又は複数の釣り情報を収集可能な情報収集手段を有する釣り船で使用され、電源から電源ケーブルを介して供給され釣り情報が重畳された電力で動作する電動リールであって、リール本体と、スプールと、モータと、表示手段と、情報取出手段と、情報表示手段とを備えている。スプールは、リール本体に回転自在に装着された糸巻用のものである。モータは、電源ケーブルから供給された電力で動作し、スプールを回転駆動するものである。表示手段は、リール本体に装着され、各種の情報を表示可能な手段である。情報取出手段は、情報収集手段で収集され電力に重畳された釣り情報を取り出す手段である。情報表示手段は、情報取出手段で獲得された１又は複数の釣り情報を表示手段に表示させる手段である。
【００１２】
この電動リールでは、電源ケーブルを介して送られた電力に重畳された釣り情報が情報取出手段により取り出される。取り出された釣り情報は情報表示手段により表示手段に表示される。ここでは、釣り情報が重畳された電力から釣り情報を取り出すようにしたので、電源ケーブル以外に余分な配線が不要になるとともに、釣り船の情報収集手段で収集された釣り情報が表示手段に表示されるので、釣り船に搭載された情報収集手段からの釣り情報を迅速に得ることができる。
【００１３】
発明５に係る電動リールは、発明４に記載のリールにおいて、情報取出手段は、リール本体から延出されたケーブルの先端に装着されており、電源ケーブルを接続可能なコネクタ部を有している。この場合には、情報取出手段をリール本体の外部に設けたので、リールをコンパクトに維持できるとともに、情報取出手段の装着が容易である。
【００１４】
発明６に係る電動リールは、発明５に記載のリールにおいて、情報取出手段は、釣り竿に係止可能な釣り竿係止部を有している。この場合には、情報取出手段をリール本体の外部に設けても情報収集手段が釣りを行う動作の邪魔になりにくい。
【００１５】
【発明の実施の形態】
図１において、本発明の一実施形態による釣り用リールである電動リールＥＲは、表示部５を有するリールである。電動リールＥＲは、リール本体１と、リール本体１の側方に配置されたスプール回転用のハンドル２と、ハンドル２のリール本体１側に配置されたドラグ調整用のスタードラグ３と、リール本体１の上部に設けられた開閉式の表示装置４とを主に備えている。
【００１６】
リール本体１は、釣り竿に装着されるものであり、左右１対の側板７ａ、７ｂとそれらを連結する複数の連結部８とからなるフレーム７と、フレーム７の左右を覆う左右の側カバー９ａ、９ｂとを有している。ハンドル２側の側カバー９ｂには、ハンドル２の回転軸（図示せず）が回転自在に支持されている。
【００１７】
後部の連結部８の側板７ａ側には外部電源接続用のコネクタコード１９が設けられている。コネクタコード１９は、たとえば１ｍくらいの長さを有しており、先端に情報重畳取出部５１が装着されている。コネクタコード１９は、電源５７（図２）から供給される電力をリール内部に供給可能であるとともに、釣り情報や各種の情報を表示装置４と情報重畳取出部５１と送受信可能なコードである。情報重畳取出部５１は、電源ケーブル５６（図２）から供給される電力に重畳された釣り情報を取り出すとともに、電動リールＥＲ側から各種の情報を釣り船側の情報収集装置に送るために電力にその情報を重畳可能なものである。なお、ここでいう釣り情報とは、図２に示すような釣り船に搭載された魚群探知機５２やＧＰＳ５３等の情報収集装置で収集された情報である。情報重畳取出部５１には電源ケーブル５６を接続するためのコネクタ１９ａが設けられている。また、情報重畳取出部５１には、釣り竿に固定するための釣り竿係止手段としての固定バンド５１ａが装着されている。下部の連結部８には釣り竿装着用の竿取付脚８ａが取り付けられている。
【００１８】
リール本体１の内部には、ハンドル２に連結されたスプール１０が回転自在に支持されている。スプール１０の内部には、スプール１０を糸巻き上げ方向に回転駆動するモータ１２が配置されている。また、側カバー９ｂのハンドル２側側面には図示しないクラッチ機構を操作するためのクラッチレバー１１とモータ１２のオンオフや変速や各種の通信操作等を行うための４方向スイッチ及びプッシュスイッチ付きのジョイスティック１３とが配置されている。ジョイスティック１３は、通常は中心のプッシュスイッチに位置している。ジョイスティック１３は、後述する釣りモードのときには、モータ１２のオンオフや速度の増減の操作のために使用される。また通信モードのときには、カーソルの移動によるメニューの選択及び選択項目の確定の際に使用される。
【００１９】
表示装置４は、リール本体１の上部に開閉自在に配置されたカウンターケース４ａを有している。カウンターケース４ａは、図１に示すように、アルミニウム合金製のケースであり、内部の空間に各種の電気部品が収納されている。
【００２０】
表示装置４は、図２に示すように、水深表示制御やモータ駆動制御等を行うＣＰＵ，ＲＡＭ，ＲＯＭ，Ｉ／Ｏインターフェイス等を含むマイクロコンピュータからなる主制御部３０を有している。主制御部３０には、ジョイスティック１３、操作キー部６の各種キー、スプール１０の回転位置及び方向を検出するためのスプールセンサ４１、スプールセンサ４１の所定パルス毎に値が変化するスプールカウンタ４２、及び情報重畳取出部５１を制御するための通信制御部５０が接続されている。また、主制御部３０には、各種の警報を出力するためのブザー４３、各種の表示を行うための表示部５、各種のデータを記憶する記憶部４５、モータ１２をＰＷＭ駆動するＦＥＴ等を含むＰＷＭ駆動回路４４、及び他の入出力部が接続されている。スプールセンサ４１は、スプール１０の回転方向に並んで配置された２つのリードスイッチを有しており、リードスイッチのパルスによりスプール回転位置及び速度を検出し、いずれのリードスイッチが先にパルスを発したかにより回転方向を検出可能である。
【００２１】
通信制御部５０には、情報重畳取出部５１が接続されており、通信制御部５０は情報重畳取出部５１を制御して電力から取り出された釣り情報を表示部５で表示できるようにする。
【００２２】
釣り船に搭載された魚群探知機５２及びＧＰＳ５３は、釣り船側の通信制御部５４に接続されており、通信制御部５４は、釣り船側の情報重畳取出部５５に接続されている。通信制御部５４は、魚群探知機５２及びＧＰＳ５３で収集された釣り情報を情報重畳取出部５５に送る。また、情報重畳取出部５５で取り出された電動リールＥＲからの情報により選択された釣り情報を情報重畳取出部５５に送る。情報重畳取出部５５は、電源５７に接続されており、電源５７から供給される電力に通信制御部５４から送信された釣り情報を重畳して電動リールＥＲに送信する。この結果、魚群探知機５２やＧＰＳ５３で得られた釣り情報のデータを電動リールＥＲに取り込むことができる。これらの通信制御部５０，５４、情報重畳取出部５１，５５、電源ケーブル５６、表示部５及び主制御部３０により釣り情報伝送システム６０が構成されている。
【００２３】
表示部５は、仕掛けの水深や棚位置等の情報に加えて外部から取り込んだ情報を表示するためのドットマトリックス方式のカラーＴＦＴ液晶ディスプレイ（ＬＣＤ）により構成されている。表示部５は、カウンターケース４ａの閉じたとき隠れる裏面から視認可能な位置に配置されており、外側に透明樹脂製の図示しないレンズカバーを有している。表示部５には、後述する通信モードのときには、図３に示すように、通信モード時のメニューやメニュー操作に基づく釣り情報が表示される。
【００２４】
操作キー部６は、カウンターケース４ａの裏面において表示部５の下方に配置されている。操作キー部６は、は図１右側に配置されたモード切換キーＣＯＭと、上下に２段に分けて配置された１０個のテンキーＴＮとを有している。モード切換キーＣＯＭは、表示モードを通信モードと釣りモードとに切り換える。ここで、通信モードとは、接続された情報重畳取出部５１を介して釣り船からの釣り情報を獲得するときに使用されるモードであり、釣りモードはとは、釣りをするときに水深表示やスプール１０の速度表示等の各種の情報を表示するモードである。
【００２５】
テンキーＴＮは、釣りモードのときには、棚メモ設定や各種の学習モードの切り換え等の操作に使用され、通信モードときには、魚群探知機５２やＧＰＳ５３からの釣り情報を獲得するときに使用される数字、文字、記号の入力等の操作に使用される。
【００２６】
次に、主制御部３０によって行われる主な制御処理を図４以降に示す制御フローチャートに従って説明する。
【００２７】
電動リールＥＲに電源５７が接続されると、図４に示すステップＳ１において初期設定が行われる。ここでは各種のフラグをリセットや表示モードを釣りモードに設定する。
【００２８】
ステップＳ２では、表示部５に対する表示処理を行う。ここでは、表示モードに応じて釣りモードのときには、算出された水深表示や速度表示を行う。また、通信モードのときには、図３（ａ）に示すように、通信モードの初期画面を表示する。この通信モードの初期画面では、通信メニューとして、たとえば「魚群探知機情報」，「ＧＰＳ情報」の２つのメニューが表示される。これらの２つの釣り情報をジョイスティック１３の操作により選択可能である。
【００２９】
ここで、魚群探知機情報とは、魚群探知機５２から得られる釣り情報の処理を行うものである。ＧＰＳ情報とは、ＧＰＳ５３から得られる位置情報の表示を行うものである、ここから図３（ｂ）に示すように、釣りを行う場所の魚群の情報や水温などの釣り情報を釣り人が得ることができる。
【００３０】
ステップＳ３では、操作キー部６の各種キー及びジョイスティック１３の操作によるキー入力の割り込みがなされたか否かを判断する。ステップＳ３においてキー入力がなされると、ステップＳ６に移行し、キー入力処理を行う。
【００３１】
ステップＳ４では、スプール１０が回転したか否かを判断する。この判断は、スプールセンサ４１の出力により判断する。スプール１０が回転していると判断すれば、ステップＳ４からステップＳ７に移行する。ステップＳ７では、通信モードであるか否かの判断を行い、通信モードのときにはステップＳ８に移行して、表示モードを通信モードから釣りモードに切り換える。通信モードではないとき、及びステップＳ８の処理が終了すると、ステップＳ９の各動作モード処理に移行する。
【００３２】
ステップＳ５では、その他の指令がなされたか否かを判断する。その他の指令がなされるとステップＳ５からステップＳ１０に移行し、指令に応じたその他の処理を行う。
【００３３】
ステップＳ６のキー入力処理では、図５のステップＳ１１でモード切換キーＣＯＭが操作されたか否かを判断する。ステップＳ１２では、ジョイスティック１３が操作されたか否かを判断する。ステップＳ１３では他のキーが操作されたか否かを判断する。
【００３４】
モード切換キーＣＯＭが操作されと判断するとステップＳ１１からステップＳ１５に移行し、表示モードが釣りモードか否かを判断する。釣りモードのときにはステップＳ１６に移行し、表示モードを通信モードに切り換える。通信モードのときにはステップＳ１７に移行し表示モードを釣りモードに切り換える。表示モードが通信モードに切り換えられると、通信制御部５０により情報重畳取出部５１を制御して釣り船との通信が可能になり、図４のステップＳ２での表示処理で図３（ａ）に示す初期画面が表示される。
【００３５】
ジョイスティック１３が操作されるとステップＳ１２からステップＳ１８に移行する。ステップＳ１８では、表示モードが釣りモードか否かを判断する。釣りモードと判断するとステップＳ１９に移行し、ジョイスティック１３の操作されたキーに応じたモータ制御処理を行う。たとえば，ジョイスティック１３が中心に押圧操作されるとモータ１２をオンオフし、前側に倒されるとその間だけ増速処理し、後側に倒されるとその間だけ減速処理する。ここでは左右のスイッチは無効になる。
【００３６】
通信モードのときには、ステップＳ２０に移行し、カーソルの移動によりメニューを制御するメニュー制御処理を実行する。
【００３７】
ステップＳ２０のメニュー制御処理では、ジョイスティック１３の４方向のスイッチにより表示部５上でカーソルの移動を行い、中央のスイッチの押圧によりメニューの選択を行う。たとえば、図３（ａ）の通信メニューでは、ジョイスティック１３を上下に倒すと、カーソルがメニューの項目を上下に移動して中央のスイッチの押圧操作によりメニューが選択され、通信制御部５０を介して情報重畳取出部５１から釣り情報が取り出され、次の処理に移る。そして、ジョイスティック１３によりカーソルを上下左右に移動していくつかの選択処理を行うと、図３（ｂ）に示すような釣り場での魚群探知機からの釣り情報を表示可能になる。
【００３８】
ステップＳ９の各動作モード処理では、図７のステップＳ４１でスプール１０の回転方向が糸繰り出し方向か否かを判断する。この判断は、スプールセンサ４１のいずれのリードスイッチが先にパルスを発したか否かにより判断する。スプール１０の回転方向が糸繰り出し方向と判断するとステップＳ４１からステップＳ４２に移行する。
【００３９】
ステップＳ４２では、スプールセンサ４１の所定パルス毎に減少するスプールカウンタ４２の値から記憶部４５に記憶されたデータを読み出し、繰り出された糸長を算出しさらに糸長から水深ＬＸを算出する。この得られた水深ＬＸがステップＳ２の表示処理で表示される。このときの表示部５の画面例を図６に示す。この釣りモードの各動作モード処理では、表示部５に仕掛けの水深や棚位置やスプール１０の速度などの情報が表示される。また、表示部５の右部に縦に並べられた１２個の四角で表示されたスプール速度は、たとえば、高速・中速・低速で異なる色で表示されている。
【００４０】
ステップＳ４３では、得られた水深ＬＸが棚位置に一致したか、つまり、仕掛けが棚に到達したか否かを判断する。ステップＳ４４では、他の釣りモードか否かを判断する。他の釣りモードではない場合には、各動作モード処理を終わりメインルーチンに戻る。
【００４１】
水深が棚位置に一致するとステップＳ４３からステップＳ４５に移行し、仕掛けが棚に到達したことを報知するためにブザー４３を鳴らす。他の釣りモードの場合には、ステップＳ４４からステップＳ４６に移行し、指定された他の釣りモードを実行する。
【００４２】
スプール１０の回転が糸巻取り方向と判断するとステップＳ４１からステップＳ４９に移行する。ステップＳ４９では、スプールセンサ４１の所定パルス毎に増加するスプールカウンタ４２の値から記憶部４５に記憶されたデータを読み出し、繰り出された糸長を算出しさらに糸長から水深ＬＸを算出する。この得られた水深ＬＸもステップＳ２の表示処理で表示される。
【００４３】
ステップＳ５０では、水深が船縁停止位置に一致したか否かを判断する。船縁停止位置まで巻き取っていない場合にはメインルーチンに戻る。
【００４４】
船縁停止位置に到達するとステップＳ５０からステップＳ５１に移行する。ステップＳ５１では、仕掛けが船縁にあることを報知するためにブザー４３を鳴らす。ステップＳ４４では、モータ１２をオフする。これにより魚が釣れたときに取り込みやすい位置に魚が配置される。この船縁停止位置は、たとえば水深６ｍ以内で所定時間以上スプール１０が停止しているとセットされる。
【００４５】
ここでは、通信モードのときには、ジョイスティック１３の操作により魚群探知機５２やＧＰＳ５３から獲得された釣り情報を電源ケーブル５６を介して表示部５に表示させることができる。また、釣りモードのときには、表示部５にリールに設けられた検出手段からの情報により仕掛けの水深や棚位置やスプールの速度などを情報を表示できる。このように、電源ケーブル５６により釣り船に搭載された情報収集装置との通信を可能にして収集された釣り情報を表示手段に表示可能にしたので、電動リールＥＲに設けられたスプールセンサ４１などの検出手段に基づく情報以外の情報収集装置からの釣り情報を迅速に得ることができる。また、有線で情報を伝達する場合に、甲板上に配線が錯綜せずに容易に釣り情報を得ることができる。
【００４６】
〔他の実施形態〕
（ａ）  前記実施形態では、電源ケーブル５６を介して電動リールＥＲ側からも情報を伝送する双方向の情報伝送を行ったが、情報収集装置側からの釣り情報を一方向に伝送するようにしてもよい。
【００４７】
（ｂ）  前記実施形態では、カラーＴＦＴ方式のＬＣＤを表示部５に使用したが、モノクロＬＣＤを使用してもよい。
【００４８】
（ｃ）  前記実施形態では、釣り船の情報収集手段として魚群探知機やＧＰＳを示したが、たとえば、釣り船がインターネット情報を収集できる機能を有している場合には、得られたインターネット情報を表示できるようにしてもよい。たとえば、潮位、気象情報などの釣り情報をインターネットで収集し、それらを表示するようにしてもよい。また、釣り船が海底などの地形情報や水温や潮流の方向などを収集できる場合には、得られた地形情報や水温や潮流の方向などを表示するようにしてもよい。
【００４９】
（ｄ）  前記実施形態では、魚群探知機５２からの釣り情報とＧＰＳ５３からの釣り情報とを表示部５に選択的に表示するようにしたが、２つの情報を表示部５に一画面で表示するようにしてもよい。
【００５０】
（ｅ）  仕掛けに音波反射部材を装着し、仕掛けの位置を通信モード時に画面上に表示できるようにしてもよい。
【００５１】
（ｆ）  前記実施形態では、電動リールを例に説明したが、手巻きのリールに電源ケーブルを接続して釣り情報を表示するようにしてもよい。また、釣り用リールとは別に表示手段を設け、それを釣り用リールの近傍に配置し、その表示手段に電源ケーブルを接続して釣り情報を表示するようにしてもよい。
【００５２】
【発明の効果】
本発明によれば、電源ケーブルから供給される電力に釣り情報を重畳して釣り用リールに伝送しているので、電源ケーブル以外に余分な配線が不要になる。このため、釣り船で収集された釣り情報を配線の錯綜を招くことなく釣り人に伝送できるようになる。
【図面の簡単な説明】
【図１】
本発明の一実施形態による電動リールの斜視図。
【図２】
電動リールの制御ブロック図。
【図３】
通信モード時の表示画面の一例を示す図。
【図４】
メインルーチンの処理の内容を示すフローチャート。
【図５】
キー入力処理の内容を示すフローチャート。
【図６】
釣りモード時の表示画面の一例を示す図。
【図７】
各動動作モード処理の内容を示すフローチャート。
【符号の説明】
１  リール本体
４  水深表示装置
５  表示部
１０  スプール
３０  主制御部
５０，５４  通信制御部
５１，５５  情報重畳取出部
５１ａ  固定バンド
５２  魚群探知機
５３  ＧＰＳ
５６  電源ケーブル
５７  電源
６０  釣り情報伝送システム
ＥＲ  電動リール